(57)【要約】  本発明は、油圧回路を備える油圧アタッチメントに関し、アタッチメントは、支持装置に機械的に接続し支持装置の油圧システムに油圧式に接続することができる、建設工具または解体工具、特に油圧ブレーカ、解体シャー、スクラップシャー、粉砕機、グリッパ、クラッシャバケットまたは圧縮機である。油圧回路がアタッチメント内で迅速にかつ安全に開放されるのを可能にし、特に油圧アタッチメント内の特定圧力レベルの存在を表示しシステム内に危険な残留圧力が存在するか否かを判断することを可能にするために、アタッチメントの油圧回路に分離可能にまたは分離不能に接続される残留圧力表示器（４０）が提案される。
2015518548.tif 000002
【特許請求の範囲】
【請求項１】
油圧回路を有し、支持装置に機械的に接続することができかつ前記支持装置の油圧システムに油圧式に接続することができる、建設工具または解体工具、特に油圧ブレーカ、解体ハサミ、スクラップハサミ、粉砕機、グラブ、クラッシャバケットまたは圧縮機である油圧アタッチメントにおいて、
前記アタッチメントの前記油圧回路に分離可能にまたは分離不能に接続されている残留圧力インジケータを具備することを特徴とする油圧アタッチメント。
【請求項２】
前記残留圧力インジケータが前記アタッチメントに組み込まれており、指示要素が配置されている前記残留圧力インジケータの外面のみが、外側から可視であることを特徴とする、請求項１に記載の油圧アタッチメント。
【請求項３】
前記残留圧力インジケータ（４０）が、めねじが設けられた位置決め穴内におねじを用いてねじ込まれている本体（１００）を有し、前記位置決め穴が、前記油圧アタッチメントの構成要素（１０２）に加工されていることを特徴とする、請求項１または２に記載の油圧アタッチメント。
【請求項４】
前記残留圧力インジケータが、ロッド（４３）を有する測定ピストン（４２）を有し、該測定ピストンが、前記本体の穴（１０３）内に配置されていて、ばね（４６）の力に抗して前記穴内で長手方向軸線に沿って移動することができることを特徴とする、請求項１〜３のいずれか一項に記載の油圧アタッチメント。
【請求項５】
前記穴（１０３）が、測定穴（１１８）によって前記アタッチメントの前記油圧回路に接続されていることを特徴とする、請求項４に記載の油圧アタッチメント。
【請求項６】
前記油圧回路内の圧力が、前記ばねの力に対して反対の力を生成するために前記測定ピストンの少なくとも1つの面（４８、４９）に作用することを特徴とする、請求項４または５に記載の油圧アタッチメント。
【請求項７】
前記ロッド（４３）が、前記測定ピストンの前記面（４８、４９）の加圧の増大により前記本体（１００）から出てさらに突出し、前記圧力が低減すると前記本体（１００）内に後退することを特徴とする、請求項４〜６のいずれか一項に記載の油圧アタッチメント。
【請求項８】
前記測定ピストンがストップカラー（１１１）を有し、該ストップカラー（１１１）が、少なくとも１つの方向において前記測定ピストンの変位移動を制限することを特徴とする、請求項４〜７のいずれか一項に記載の油圧アタッチメント。
【請求項９】
前記残留圧力インジケータが、衝撃機構ハウジング内に、好ましくは油圧ブレーカのシリンダヘッド内に組み込まれていることを特徴とする、請求項１〜９のいずれか一項に記載の油圧アタッチメント。
【発明の詳細な説明】
【技術分野】
【０００１】
本発明は、支持装置に機械的に接続し支持装置の油圧システムに油圧式に接続することができる、油圧回路を有する、建設工具または解体工具、特に、ブレーカ、解体ハサミ、スクラップハサミ、粉砕機、グラブ、クラッシャバケットまたは圧縮機である、油圧アタッチメントに関する。
【背景技術】
【０００２】
油圧アタッチメントを、非常に広範囲の製造業者による多数の異なる支持装置に取り付けることができる。取付けおよび取外し両方の間に、かつアタッチメントの機能モードを切り替えるかまたは（たとえば、連続潤滑ポンプを追加することにより）設備を拡張するときに、油回路を開放することが必要であることが多い。この目的で、まず、安全な開放を可能にするように、油圧を周囲レベルまで低下させなければならない。
【０００３】
油圧を周囲レベルまで低下させることは、支持装置とアタッチメントとの相互作用を含むプロセスにおいてのみ可能である。多数の支持装置があるため、アタッチメントの製造業者は、油圧を周囲レベルまで低下させることに対して標準的な助言を与え、したがって圧力をいかに低下させることができるかを普遍的に適用可能な方法で使用者に対して伝えることは不可能である。反対に、支持装置の製造業者によって標準規格として提供される通常の機器とは別に、手続きは、支持装置の所定の油圧設備に大きく依存し、適用分野に特有である。
【０００４】
したがって、支持装置の製造業者もアタッチメントの製造業者も、支持装置およびアタッチメントからなる機械全体におけるシステム圧を周囲圧力までいかに安全に低下させることができるかに関して、使用者に対して明確な指示または明確な説明を与えることができない。不都合な油圧設備の場合、たとえば、支持装置のフリーバルブ部を介する戻りでありタンクへの直接的な戻りでない場合、場合によっては、回路内により高い圧力レベルが数時間存在する可能性がある。使用者には、回路内に依然として残留圧力があるか否かを知る手段がない。さらに、たとえば遮断弁が誤って閉鎖するかまたはホース継手が時期尚早に分離されることにより、支持装置において測定された圧力がすでに周囲レベルまで低下していても、使用者による間違った挙動により残留圧力がアタッチメントに閉じ込められる可能性もある。アタッチメントに依然として存在しかつ高圧下にある油は、その後、油圧ラインが取り外されたとき、油噴流の形態で制御されずに漏れ出る可能性があり、これにより、人身への傷害および環境汚染に至る可能性がある。
【０００５】
同様の問題は、独国実用新案第２０２００９００７３１６Ｕ１号明細書においてすでに対処されており、そこでは、油圧ホースを備えた油圧建設機械用の油圧機器を有し、ホース継手を用いて（支持車両としての）建設機械の油圧システムに接続することができる、アタッチメントが記載されている。さらに、アタッチメントが油圧建設機械から分離され、したがってホース継手が分離されたとき、その油圧ホースは作動油で充填されていることが説明されている。日光による照射を受けたとき、ホース継手が閉鎖しているために閉鎖しているアタッチメントの油圧回路内に、過剰な圧力が発生する可能性があり、この過剰な圧力は、使用者によって検出されない。独国実用新案第２０２００９００７３１６Ｕ１号明細書による装置の目的は、機器の油圧系内の過剰な圧力の形成を回避することであり、この目的で、アタッチメントに配置されかつホース継手半体を有する開放した油圧タンクが提供される。支持装置とアタッチメントとの間のホース継手が分離された後、使用者は、アタッチメントに装着されたホースを、ホース継手半体を介して油圧タンクに接続しなければならない。
【発明の概要】
【発明が解決しようとする課題】
【０００６】
既知の従来技術の不都合は、アタッチメント内に広がっている圧力を使用者が検出することができず、したがって、油圧回路をリスクなしに開放することができないということである。さらに、すべての場合での圧力除去は不可能であり、一方で、既知の可能性により、設置空間、コストおよび保守に対する費用が増大するということと、油圧回路に塵挨が入る可能性がある、ということが不都合である。油圧タンク、ホース継手、通気手段および放出弁等の追加の構成要素に、著しい量の設置空間が必要であり、これは、多くのアタッチメントでは利用可能ではない。建設現場および採石場において手荒に使用されるために、アタッチメントに追加で締結されるすべての構成要素は、損傷するリスクが高い。アタッチメントにおける装填油が冷却するに従い、追加の油が油圧タンクからアタッチメント内に引き込まれるため、油圧タンクからアタッチメントの油圧回路に空気または汚染油のいずれかが入るというリスクがある。油圧タンクは、その容量に応じて、規則的な間隔で空にしなければならない。油圧タンクを備える解決法は、アタッチメントと支持装置との間のホース継手が分離されるかまたは遮断弁が閉鎖されるとき、回路内に依然として圧力がある場合、アタッチメント内の残留圧力からの保護を提供しない。ホース継手半体または遮断弁がそれぞれのラインを密閉して分離状態で封止するため、油は漏れ出ることができず、圧力は閉じ込められたままであり、ホース継手半体を油圧タンクのホース継手半体に接続することができず、それは、閉じ込められた圧力に抗してホース継手半体の止め弁を開放するために、非常に高い力が必要であるためである。
【０００７】
したがって、本発明の目的は、アタッチメント内の油圧回路をリスクなしに開放することを可能にし、特に上述した不都合をなくすことである。本発明は、さらに好ましくは、アタッチメントの油圧回路に残留圧力があるか否かを検出することができる単純かつ信頼性の高い手段を提供することである。
【課題を解決するための手段】
【０００８】
この目的は、本発明による、アタッチメントの油圧回路に分離可能にまたは分離不能に接続される残留圧力インジケータを備える、請求項１に記載の油圧アタッチメントによって達成される。これにより、アタッチメントの油圧回路において限界を超える圧力が存在することを示すことが可能になる。残留圧力インジケータは、指示要素としての役割を果たし、それにより、使用者は、取付けおよび取外し中に、かつアタッチメントの機能モードを切り替えるときに、たとえば連続潤滑ポンプによって設備を拡張するときに、または保守作業中に、油田路を危険なしに開放することができる程度まで圧力が低下したか否かを検出することができ、それにより、アタッチメントの費用がかかりかつ不要なダウンタイムが可能な範囲まで回避される。
【０００９】
さらに、指示要素を用いてアタッチメントにおいて圧力が直接測定されかつ指示されるため、あり得る誤った使用によってもたらされるリスク、たとえば、圧力が依然として高い間に遮断弁が閉鎖されるかまたはホース継手が分離されることが回避される。支持装置における圧力インジケータまたは圧力測定点とは対照的に、残留圧力インジケータは、間に切替え弁、遮断弁またはホース継手なしに、アタッチメントの油圧回路に直接接続され、支持装置設備とは無関係に動作し、それにより、示された結果が弁の動作位置によってかつホース継手の結合状態によって影響を受けないことが確実になる。それ以上の測定機器は不要である。本発明による装置では、高圧下の流体が保守または調整作業中に漏れ出て人身への傷害をもたらす可能性があるというリスクがなくなる。
【００１０】
本発明の好ましい実施形態については以下にかつ従属請求項に記載する。
【００１１】
本発明の第１の好ましい実施形態によれば、残留圧力インジケータが、好ましくは、油圧によって直接作用される測定および指示ピストンを有する、直動式装置であることが考えられる。残留圧力インジケータは、さらに好ましくは、アタッチメントに組み込まれ、指示要素が配置される残留圧力インジケータの外面のみが外側から見える。この種の残留圧力インジケータは、頑強であり、したがって、好ましくは油圧衝撃装置または油圧解体ハサミとして設計される建設業、解体業および鉱業用の油圧アタッチメントで使用するのに特に適している。指示ピストンの代りとして、測定ピストンの直線運動を指示要素、たとえば異なる色（赤／緑等）の２つのマーキングを有する回転ディスクの回転運動に変換することも可能である。油圧に依存しかつ指示要素の偏向をもたらす直線運動を、測定ピストンではなく測定ダイアフラムを用いて生成することも可能である。
【００１２】
残留圧力インジケータは、好ましくは、本体を有し、本体は、めねじが設けられた位置決め穴内におねじを用いてねじ込まれ、位置決め穴は、油圧アタッチメントの構成要素に加工されている。本発明の別の好ましい実施形態によれば、ここでは、残留圧力インジケータが、ロッド、ピストンカラーおよびストップカラーを有する測定ピストンを有し、測定ピストンが本体の穴内に配置されかつばねの力に抗して穴内で長手方向軸に沿って移動することができることが考えられる。この種の装置は、アタッチメントにまたはアタッチメントの構成要素に簡単な方法で取り付けることができ、外部の機械的影響から十分に保護される。残留圧力インジケータが油圧ブレーカで使用される場合、衝撃機構ハウジング内に、衝撃機構を収容する支持ハウジングに、または衝撃機構ハウジングあるいは支持ハウジングに固定される油圧駆動式潤滑ポンプのハウジング内に配置され得る。
【００１３】
本発明の別の有利な実施形態によれば、穴は、測定穴によってアタッチメントの油圧回路に接続され、その結果、油圧回路内に広がる圧力が測定ピストンに作用する。したがって、ロッドは、測定ピストンの加圧の増大によって本体から出てさらに突出し、圧力が低減すると本体内に後退する。本体から突出するロッドの長さを用いて、使用者は、油圧回路のリスクのない開放が可能であるか否かを直接読み取ることができる。少なくとも１つの方向における測定ピストンの変位移動を制限するために、測定ピストンはストップカラーを有している。残留圧力インジケータは、好ましくは、衝撃機構ハウジング内に、特に油圧ブレーカのシリンダ内に組み込まれる。
【００１４】
本発明の具体的な実施形態について、図を参照して以下に説明する。
【図面の簡単な説明】
【００１５】
【図１】衝撃装置を有する油圧ブレーカの概略図を示す。
【図２】解体ハサミの概略図を示す。
【図３】残留圧力インジケータの概略詳細図を示す。
【発明を実施するための形態】
【００１６】
特に岩、コンクリートまたは他の建設材料を分解する役割を果たす油圧ブレーカにおいて、ならびに、岩および他の建設材料に穴を開ける役割を果たすハンマドリルにおいて、流体圧作動式衝撃装置が使用され、大部分の場合、それらは、掘削機、ローダ、牽引車両または他の建設機械および採鉱機械等の支持装置用の付属品またはアタッチメントとして使用される。
【００１７】
図１は、油圧ブレーカの衝撃機構５が、支持装置たとえば掘削機のポンプ６およびタンク７に、圧力ライン１、２およびタンクライン３、４それぞれを介して油圧式に接続されていることを示す。掘削機には弁があり、それに、動作のために加圧油を衝撃機構に供給するためにポンプへのライン１を接続することができ、または弁により、衝撃機構の動作を停止させるために接続が分離される。この弁は、図１には示していない。掘削機から油圧ブレーカを取り除くために油圧接続が分離されたとき、油圧流体が漏れ出るのを防止するために、衝撃機構に至る掘削機のラインの各々に、通常、遮断弁８、９がある。遮断弁の代りにまたは遮断弁に加えて、ホース継手をラインに取り付けることができ、ホース継手は各々、それぞれ２つの継手半体１２ａ、１２ｂおよび１３ａ、１３ｂを備え、それらは、継手が分離されたときに油圧流体が漏れ出るのを防止する止め弁を有している。継手は分離状態で示されており、そこでは、止め弁は閉鎖されている。図示する継手は、油圧回路に接続されておらず、別個に示されている。
【００１８】
衝撃機構は、内部で打撃ピストン１５が誘導されるシリンダハウジングと、シリンダヘッドと、ブレーカ底部とから構成されており、そこでは、ビット１６または挿入端が摩耗ブッシュを用いて取り付けられている。シリンダハウジングおよびヘッドの簡略化した内部輪郭のみが示されている。通常動作時、支持装置は、加工される材料１７の方向に衝撃機構を押圧し、したがって、衝撃機構は、ハウジング内に配置されたビット止め具１８を介してビットの上端の支持面で支持され、ビットの下端は、加工される材料に対して押圧される。
【００１９】
通常動作時、油圧駆動式打撃ピストンは、各衝撃ストロークの最後に衝撃機構に位置するビットの端部に衝突し、その運動エネルギーをビットに伝達する。ビット内に導入されたエネルギーは、高い衝撃力をもたらし、その衝撃力は、ビットによって材料に伝達され材料の破壊をもたらす。
【００２０】
打撃ピストン１５は、差動ピストンとして具現化されており、すなわち、サイズの異なる２つの反対側の環状駆動面１９、２０を有している。下方駆動面２０（これによって、加圧されたときに戻りストロークが開始する）は、動作中に圧力ライン２において利用可能な所定の動作圧力を連続的に受ける。上方駆動面１９（これによって、加圧により衝撃ストロークが開始する）は、制御滑り弁２１の位置に応じて、動作圧力を受けるか、またはタンク圧力まで圧力が軽減される。衝撃ストロークが可能であるのは、上方環状駆動面１９が下方環状駆動面２０より大きく、それにより、両面が動作圧力を受けるとき、衝撃方向に結果としての力があるためである。「衝撃ストローク」中、移動するピストンが、小さい下方駆動面によって押しのけられる油を、ピストンの大きい方の上方駆動面１９の方向に押しのけ、その上方駆動面１９に、ポンプ６から来る油も流れ込む。戻りストローク中、油は、ポンプ６から、面積の小さい方の下方駆動面２０の方向に排他的に流れ、面積の大きい方の上方駆動面１９からの油は、戻り絞り弁２２を介してタンク７に排出され、それにより、ブレーカの平滑な動作が確実になる。
【００２１】
衝撃機構は、さらに、ピストンの上端面が内部に突出するガス空間２３、すなわちガス圧下の空間を有している。この空間におけるガス圧は、ピストンに対して衝撃ストロークの方向に作用する追加の力を及ぼす。衝撃機構を、ガス貯蔵器なしに具現化することも可能である。ピストンの他端に位置するピストン部分（端部またはそこの衝撃面を含む）は、雰囲気に連結される「衝撃空間」２４に突出している。
【００２２】
好ましくは衝撃機構のシリンダヘッドに位置するすでに上述した制御滑り弁２１は、動作位置に応じて、表面積が大きい方の上方駆動面１９を圧力ライン２に接続し、その結果、動作圧力がそこに印加されるか、または戻りストローク中にタンクライン４を介して前記面をタンク７まで緩めるかのいずれかとなる。
【００２３】
打撃ピストンのように、制御滑り弁２１もまた２つの駆動面を有することができ、そこでは、第１面、すなわち戻り面は、圧力ラインによって連続的に動作圧力を受け、面積が大きい方の反対側の第２面、すなわち制御面は、動作圧力を受けるかまたはタンク圧力まで圧力が軽減される。２つの面のサイズが異なるために、それらの面に適切な圧力が印加されたとき、制御滑り弁をその端位置のうちの一方に押し込むことができる。
【００２４】
制御面は反転ライン２４に接続され、反転ライン２４は、打撃ピストンが誘導されるシリンダ空間２５内に、ピストン位置に応じて動作圧力を受けるかまたはタンク圧力まで圧力が軽減されるように通じている。打撃ピストンが通常動作状態で工具に打ち当たる下方反転位置では、反転ライン２４の端部は、打撃ピストンの駆動面の間に配置された円周方向溝２６を介してタンクライン２７に接続され、タンクライン２７は同様に、低圧が広がっている作業シリンダ内に通じており、その結果、制御滑り弁の制御面はタンク７まで圧力が軽減され、動作圧力が制御滑り弁の戻り面に印加され対応する戻り力をもたらすため、制御滑り弁は、第１端位置（戻りストローク位置）になる。タンクライン２７および４は、衝撃機構内で結合されて支持装置の共通タンクに通じ、前記タンクは、明確にするためにここでは２つのタンクとして表わされている。戻りストローク位置では、制御滑り弁は、打撃ピストンの上方駆動面１９をタンクライン４に、交互の圧力ライン２８を介して接続する。打撃ピストンの下方駆動面２０に印加される動作圧力が一定であるため、打撃ピストンは、衝撃ストロークの方向とは反対の上方に押し上げられる。戻り絞り弁２２を介して、上方ピストン駆動面によって押しのけられる油は、制限された方法で、タンク内に流れ込み、それにより、戻りストローク中に上方駆動面に対する平滑動作に必要な圧力レベルを維持する。
【００２５】
いくつかのタイプの油圧ブレーカには、油圧アキュムレータ２９が装備されており、それらは、加圧された作動油を貯蔵するために設けられ衝撃機構による油消費量の時間変動によってもたらされる圧力の変動を低減する。
【００２６】
衝撃機構の作動油供給がオフに切り替えられた後、すなわち、ポンプからの分離の後、依然として衝撃機構において広がっている圧力は、支持装置の弁における漏れによって放散し、これに必要な時間は、漏れの間隙および油の粘度によって決まり、厳密に間隙が小さく低温の粘性油である場合、非常に長い時間がかかる可能性がある。厳密に衝撃機構が油圧アキュムレータ２９を有する場合、圧力が放散する前に、比較的大量の油を、漏れ箇所を介して放散させなければならない。完全な圧力放散の前に、遮断弁８および９が閉鎖されるかまたは、ホース継手１２ａ、１２ｂ、１３ａおよび１３ｂが分離された場合、衝撃機構の油圧回路が遮断され、圧力は回路内に閉じ込められたままである。
【００２７】
こうした圧力の連続した存在を検出するために、残留圧力インジケータ４０が圧力ライン２に接続されている。残留圧力インジケータ４０は、測定シリンダ４１から構成され、測定シリンダ４１は、穴を有し、その穴に、ロッド４３およびピストンカラー１１２を有する測定ピストン４２が装着されている。ピストンカラーは、測定シリンダを２つのシリンダチャンバに分割し、それらシリンダチャンバは、接続ライン４４、４５によって圧力ライン２に接続されている。ピストンカラーの右側に位置する環状シリンダチャンバ内にばね４６があり、ばね４６は、圧力ラインしたがってシリンダチャンバが加圧されていないときに、測定ピストンおよびそれに取り付けられたロッドを停止位置に押し込む。停止位置では、ロッドは、一点鎖線４７として表わされる、衝撃機構の構成要素面または測定シリンダを形成する構成要素の構成要素面を越えて突出しない程度まで、測定シリンダ内に後退する。圧力ラインに広がっている圧力は、接続ライン４４および４５を介して２つのシリンダチャンバ内に入り、ピストンカラーの円形面４８と反対側の環状面４９とに対して等しく作用する。円形面４８が環状面より面積が広いため、力に対抗されても、構成要素面の方向に測定ピストンを押す有効な結果として差動力がある。この動きに対向して、結果としての力は、ばねによって生成される力である。結果としての力がばねの力を超過する場合、油圧のため、測定ピストンと指示要素を形成するロッドとは、構成要素面の方向に移動し、その結果、ロッドは、構成要素面に対して視覚的に突出する。ロッドの突出および可視性は、衝撃機構の油圧回路において所定圧力レベルを超えたことと、油圧回路を危険なしに開放することができないこととを示す。ピストンカラーの寸法およびロッドの寸法ならびにばねの幾何学的寸法は、臨界圧力レベルを超過し、油圧回路を危険なしに開放することができることを確実にすることができなくなった場合に、ロッドが突出し可視であるように、選択される。ロッドが突出しない場合、油圧回路における圧力レベルは、油圧流体の漏出がもはや著しい危険を表さないように低い。ロッドが突出する臨界圧力は、１バール〜６バールである。ばね特性に応じて、ロッドは、第１圧力レベルではハウジングから短い長さ突出し、別の幾分かより高い圧力レベルでさらに突出し、そのときになって初めて明瞭に可視となる。ロッドにおける、任意選択的にピストンカラーにおける、雰囲気への漏れまたはシリンダチャンバ間の漏れを防止するシールは示されていない。
【００２８】
ロッドを、より明確に圧力レベルの到達を示しかつ正確な圧力レベルが示されるのを可能にする、色付きマーキングまたは溝あるいは突起の形態のマーキングを有するように、具現化することができる。
【００２９】
ロッドおよび環状面４９が、圧力ラインに接続されるのではなく、空気で充填されかつ遮断され、タンクラインに接続され、または環境に連結されるように位置するシリンダチャンバも可能である。したがって、圧力ラインに接続された円形面４８からもたらされる力、およびばね力のみが、測定ピストンに作用する。
【００３０】
測定ピストンのロッドは、ピン状またはピストン状指示要素に対して作用することができ、それは、ロッドではなく、構成要素面に対して突出することができるロッドによって動かされる指示要素であるように、配置されている。
【００３１】
残留圧力インジケータ４０は、好ましくは、衝撃機構の油圧回路の圧力ラインに連続的に接続され、そこでは、圧力ライン２に広がっている圧力が利用可能である。残留圧力インジケータを作動させるために、圧力ラインと残留圧力インジケータとの間に、手動で作動させなければならない弁を配置することも可能であり、これには、衝撃機構の動作中に、油圧回路内の圧力レベルが、高いポンプ圧力と低いタンク圧力との間で頻繁に交互になる場合、測定ピストンが繰返し移動するのではなく必要な場合にのみ移動する、という利点がある。測定ピストンのロッドおよびばねの適切な配置により、残留圧力インジケータを、指示要素が加圧されない停止位置で構成要素面を越えて突出し、一定圧力レベルを超過し油圧回路のリスクのない開放がもはや保証されないときに、構成要素面の後方に後退するように、具現化することも可能である。
【００３２】
図２は、本発明の具体的な実施形態を概略表現で示し、これは図示する例示的な実施形態では、解体ハサミにおいて実施されている。
【００３３】
解体シャーとも呼ばれる解体ハサミは工具アームを有し、そのうちの少なくとも１つのアームを、少なくとも１つの油圧シリンダを用いて開放位置と閉鎖位置との間で前後に枢動させることができる。図２に示す解体ハサミはハウジング６０を有し、ハウジング６０を、接続プレート６１を介して掘削機のブームに取り付けることができる。２つのアーム６３ａ、６３ｂは、２つのピボット６２ａ、６２ｂによってハウジングに枢着されている。各アームには、油圧シリンダ６５のピストンロッド６４が枢着され、油圧シリンダ６５のシリンダチューブ６６はハウジングに枢着されている。各油圧シリンダはピストン６７を有し、ピストン６７は、ピストンロッドに固定されかつシリンダを２つのチャンバに分割する。ピストンロッド側では、ピストンは環状駆動面６８を有し、反対側では、ピストンは円形駆動面６９を有している。２つのシリンダの同じ形状の面は、各々、油圧ライン７０および７１それぞれによって互いに接続されている。作動油が円形ピストン面６９に供給され、作動油が環状ピストン面６８から離れる方向に流れることができる場合、ピストンロッドは、シリンダから延出し、アーム間の距離が低減しアームが閉鎖位置まで枢動するように、アームを枢動させる。ハサミアームが周囲に配置される、コンクリート等、切断されるべき材料７２は、シリンダ力がアームにかつさらに材料に伝達されるため、この動きによって破壊される。アームと材料との間の接触点において高い表面圧力に達するために、アームは、歯７３を有している。アームを、開放位置まで戻すように枢動させアーム間の距離を増大させるために、その後、油が環状ピストン面６８に供給され、円形駆動面６９から取り除かれる。油のピストン面への供給およびピストン面からの除去は、制御弁７４を介して行われ、制御弁７４は、支持装置に配置され、使用者によって直接、または油圧制御システムあるいは電気制御システムを介して間接的に機械的に作動させることができる。第１動作位置７５では、円形駆動面は、ポンプ６から来るライン１に接続され、環状駆動面は、タンクに至るライン３に接続され、この結果、アームは閉鎖位置まで枢動する。第２動作位置７６では、環状駆動面は、ポンプ６から来るライン１に接続され、円形駆動面は、タンクに至るライン３に接続され、その結果、アームは開放位置まで枢動する。掘削機弁の第３動作位置７７、すなわち中心位置では、ポンプおよびタンクへのシリンダ空間の接続は遮断される。ライン７０および７１において解体ハサミと掘削機弁との間に油圧ホース継手７８、７９が配置されており、それらはここでは結合状態で示されており、結合状態では、ホース継手の止め弁が開放して油の自由な流れを可能にする。ライン７０および７１にそれぞれ、シャトル弁８２の２つの入口８０、８１が接続されている。シャトル弁は２つの対向する弁座８３、８４を有し、それらの間に、ボールまたはピストンの形態の弁体８５が可動式に配置されている。それぞれの油圧入口は、弁座の各々に接続され、油圧出口８６が、弁座の間に配置されている。環状駆動面に至るライン７１がポンプに接続され、円形駆動面に至るライン７０が掘削機弁を介してタンクに接続されたとき、ライン７１においでしたがって入口８０において高圧が利用可能であり、入口８１において低圧が利用可能である。弁体８５は、ラインの間のこの圧力差によって弁座８３内に押し込まれ、油がライン７１から出てライン７０内に流れ込むのを防止する。弁座８４が弁体によって閉鎖されないという事実により、ライン７１と出口８６との間に接続が確立される。出口８６に残留圧力インジケータ４０が接続され、その測定ピストン４２には、円形面４８において、ライン７１においてまたは出口８６において利用可能な圧力が与えられる。環状面４９と同じ側のチャンバは、圧縮可能空気が充填され、遮断される。ピストンカラーのシール（図示せず）が、油または空気がチャンバの間に流れるのを防止する。シャトル弁は、油圧シリンダのシリンダチャンバ内に広がっている最高圧力が、各々測定ピストン４２に入るのを確実にする。環状面と同じ側には、さらにばねがあり、ばねは、円形面に対して圧力がないかまたはわずかな圧力しかない場合に、測定ピストンをその停止位置に押し込む。
【００３４】
シャトル弁を有する残留圧力インジケータの代りに、シャトル弁なしに２つの残留圧力インジケータを使用することも可能であり、その場合、１つの残留圧力インジケータが各々、面積が同じそれぞれのピストン面６８および６９に油圧式に接続される。
【００３５】
最後に、図３に、残留圧力インジケータの具体的な実施形態を示す。
【００３６】
残留圧力インジケータ４０は、めねじが設けられた位置決め穴１０１におねじを用いてねじ込まれる本体１００から構成され、位置決め穴は、アタッチメントの構成要素１０２に、たとえば油圧ブレーカの衝撃機構のシリンダヘッドに位置している。本体は、段付き穴１０３を有する測定シリンダを含み、段付き穴１０３内にはシール溝１０４、１０５がある。穴内にはシールスリーブ１０６が挿入され、シールスリーブ１０６は、シール溝１０５に対して軸方向に一方向において境界を定め、穴からシールスリーブを除去することによりシール１０７の容易な挿入および交換を可能にする。シールスリーブは、絞り穴１０８が設けられたワッシャ１０９により、かつ保持リング１１０により、穴内に軸方向変位に抗して固定される。穴内に、測定ピストン４２が挿入され、測定ピストン４２は、ロッド４３、ピストンカラー１１２およびストップカラー１１１を有している。ストップカラーは、測定ピストンの油圧式に作用するピストンカラー１１２より直径が大きく、その外径は、油の通過を可能にする間隙が穴とストップカラーとの間で得られるように設計されており、したがって、ストップカラーの両側の空間の間に、油圧接続が確立される。シール１０７は、ピストンカラー１１２の両側において油または空気が空間の間に流れるのを防止する。ロッドの周囲の空気が充填された空間にばね４６が配置され、ばね４６は、ピストンカラーの環状面４９に力を及ぼし、それを停止位置に戻し、停止位置では、ストップカラーがワッシャに当接する。この位置では、ロッドの外側端面１１６は、本体の凹状外側端面１１５と同一平面であり、すなわち、ロッドは、停止位置において本体を超えて突出せず、そこでは、油圧回路内に圧力がないかまたはリスクを表すほどの圧力はない。シール溝１０４内に、塵挨および湿気がロッドと本体との間の誘導間隙内に貫入するのを防止する塵挨スクレーパ１１３が挿入される。しかしながら、塵挨スクレーパは、空気に対して浸透性であり、ばねが位置する空気が充填された空間内における圧力の蓄積を防止するように具現化される。本体の端部に、塵挨および湿気の貫入に対する別の防護手段を提供する透明な可捷性キャップ１１４が固定されている。
【００３７】
穴１０３の基部に面する本体の端部１１７は、測定穴１１８によって、圧力が監視されるべき油圧回路のライン（図示せず）に接続されている。絞り穴を介して、測定穴からの圧力は、測定ピストンに作用することができ、したがって、シールスリーブ内でかつストップカラーの両側で利用可能である。ばねの力に対抗する油圧力は、ピストンカラー１１２の断面積とこの断面積に印加される圧力とからもたらされる。圧力によって生成される力がばねの力を超過すると、測定ピストンは、キャップの方向に移動し、タペットは、ストップカラーがシールスリーブの上に載るまで本体から延出する。したがって、タペットは、本体から突出し、それは、加圧油が測定穴にかつそれに接続された油圧回路に存在することと、油圧回路を危険なしに開放することができないこととの明確な現れである。圧力が、ばね力が油圧力を超える一定圧力未満に下がる場合、測定ピストンは、ロッドがもはや突出しなくなるまで反対方向に移動し、それは、アタッチメントの油圧回路にもはや圧力がないか、または圧力が安全レベルまで低下したことの明確な現れである。ばね予荷重を、たとえばねじ要素を用いて変化させることができ、したがってロッドが突出する圧力レベルを調整することができる実施形態が可能である。
【００３８】
代替形態として、ばねを、シールスリーブの空間においてピストンカラーの周囲に配置することも可能であり、したがって、ばねは、ストップカラーの環状面とシールスリーブにおける穴の環状底面との間に締め付けられる。この場合、ロッドは、ピストンカラーと同じ直径を有することができる。
【００３９】
圧力測定装置が、各々別個に油圧式に加圧することができる２つの別個のシリンダチャンバを備えた油圧シリンダを有する、解体ハサミ、粉砕機またはグラブ等のアタッチメントで使用される場合、残留圧力インジケータは、シャトル弁を介して、ハサミアーム、粉砕機アームまたはグラブバスケットを枢動させるために設けられた１つまたは複数の油圧シリンダの２つのシリンダチャンバに接続される。シャトル弁は、２つの対向する弁座を有し、それらの間に、弁体が可動式に配置される。弁座の各々に油圧入口が接続され、弁座の間に油圧出口が配置される。シャトル弁により、２つのシリンダチャンバのうちの一方に広がっている最大圧力が、各々残留圧力インジケータの測定ピストンには伝わるが、それより圧力が低い他方のシリンダチャンバには伝わらないことが確実になる。
【００４０】
圧力測定装置が油圧回転モータを有する圧縮機に使用される場合、残留圧力インジケータは、シャトル弁を介して圧縮機の２つの油圧ポートに接続される。シャトル弁は、２つのポートのうちの一方において広がっている最高圧力が、各々残留圧力インジケータに伝わることを確実にする。
【００４１】
枢動のために設けられた油圧シリンダに加えて、アタッチメントが、さらなる駆動装置、たとえば支持装置のブームに対してアタッチメントを回転させるトルクモータ駆動装置に油圧を提供するためにさらなる油圧回路を有する場合、さらなる油圧回路の圧力を、シャトル弁のカスケード型配置を用いて残留圧力インジケータに伝えることも可能であり、その結果、アタッチメントの油圧回路のうちの１つに広がっている最高圧力が残留圧力インジケータに伝わる。
【００４２】
さらに、残留圧力インジケータまたはアタッチメントに、逃し弁９１を、かつ任意選択的にホース継手半体９０を装着することができ、ホース継手半体９０は、圧力を制御された方法で放散させかつ出てくる油を環境に適した方法で、収集し廃棄するために、ホースがアタッチメントに接続され、油が逃し弁の手動開放によりアタッチメントから収集容器に排出されるのを可能にする。この圧力のレベルを、たとえば残留圧力インジケータがアタッチメントに閉じ込められた圧力を示しているときに正確に求めることができるために、たとえば圧力計の形態の圧力測定装置を、ホース継手半体に、飯合するホース継手半体を備える測定ホースを介して接続することもできる。
【００４３】
残留圧力インジケータに、アタッチメントの定格動作圧力を超過したことを示すさらなる指示機能を装備することも可能である。この目的で、残留圧力インジケータのタペットは、ロッドのさらなるマーキングまたは測定要素によって駆動される指示要素を有し、第２ばねを有する。第２ばねは、第１ばねと同じ方向に作用するが、ばね定数およびばね力はより高く、測定ピストンが、定格動作圧力に比較して低い第１圧力レベルにより、停止位置から、存在する圧力が油圧回路のリスクのない開放をもはや可能にしないことを示す位置まで移動した場合にのみ、測定ピストンに力を及ぼす。油圧回路に存在する圧力がこの第１圧力レベルを超過した場合、第２ばねは測定ピストンに当接する。およそ定格動作圧力に対応する第２圧力レベルに達し、油圧によって生成される力が両ばねの力の合計を超過する場合にのみ、測定ピストンは構成要素面の方向にさらに移動し、ロッドは、第２マーキングが可視となるまで、本体の外側端面をさらに超えて突出する。第２マーキングが見えるようになることは、定格動作圧力を超過したことを示す。
【００４４】
解体ハサミは、形状の異なるアームを有することができ、それらの一方または両方は、移動可能であって１つまたは複数の作業シリンダによって駆動され、かつ１つまたは複数の軸を中心に枢動することができる。アームに、板金、鋼切片および銅補強材を切断する刃を装着させることができ、かつ／またはアームは、鋼切片を変形させる領域および／またはコンクリートあるいは石造物を破断する歯あるいは歯の列を有することができる。
【００４５】
粉砕機は、解体ハサミに構成が類似しているが、コンクリートまたは石造物を破断させ建設材料の補強材（建設材料は、補強材を包囲するコンクリート等）を切断するために、相互に面している作業面のアームがより広くなっている。
【００４６】
グラブは、解体ハサミに構成が類似しているが、スケルトン構造を有する２つの移動するグラブバケットを有しており、それにより、建設材料をサイズに従って分類するために、大量の建設材料を拾い上げ、建設材料の小片がスケルトン構造の穴を通して落下するのが可能となる。グラブバケットの先端にグラブバーが配置され、グラブバーは、グラブが、木板等のさらに小さく薄い建設材料が適切に把持されるのを可能にするように閉鎖されるとき、接触するかまたは略接触する。
【００４７】
クラッシャバケットは、ホッパ型投入空間を有し、その中に建設材料を導入することができる。ホッパ内に２つのクラッシャジョーが配置され、それらは互いに対して移動し先細り間隙を形成することができる。少なくとも１つのクラッシャジョーが枢動可能に取り付けられ、それらを、油圧シリンダまたは油圧トルクモータによって駆動される偏心器を用いて他方のクラッシャジョーに向かうようにかつそこから離れるように移動させることができる。間隙内の材料は、それによって破断され、より小さいサイズで現れるまでクラッシャバケットを通される。クラッシャジョーの代りに、刃またはビットを有する1つまたは複数の回転ドラムを、ホッパ型投入空間の端部に投入ホッパ内で材料を分解するために配置することも可能である。
【図１】
2015518548.tif 000003
【図２】
2015518548.tif 000004
【図３】
2015518548.tif 000005
【国際調査報告】
2015518548.tif 000006
2015518548.tif 000007
2015518548.tif 000008
2015518548.tif 000009
2015518548.tif 000010
2015518548.tif 000011